(57)【要約】  【課題】本発明は、演奏楽曲の演奏音量と歌唱者の音声音量とのバランスを調整する音量調整機能を備えるカラオケシステムに関し、歌唱者の意図や嗜好に沿う音量バランスを自動的に調整して歌唱意欲を惹起させることを目的とする。  【解決手段】ゲイン値混合比算出手段４１が任意の楽曲の歌唱毎にミキシングアンプ１３における演奏ゲイン値と音声ゲイン値とのゲイン値混合比を算出してそれらの平均ゲイン値混合比を音量バランス登録部４２に登録し、ミキシングアンプ制御手段２６において利用者が利用者ＩＤに関連づけて選択した楽曲の演奏の際に特定した利用者ＩＤに基づく平均ゲイン値混合比を取得し、演奏ゲイン値又は音声ゲイン値の一方を基準に他方を当該平均ゲイン値混合比に沿ってミキシングアンプのゲイン値を制御する構成とする。  【選択図】  図２
2008191184.tif 000002
【特許請求の範囲】
【請求項１】
演奏される楽曲の演奏信号と、マイクより入力される音声信号とをミキシングアンプによりミキシングし、増幅して出力するものであり、少なくとも演奏ボリウム及びマイクボリウムが設けられる音量調整機能を備えるカラオケシステムであって、
少なくとも、利用者ＩＤ特定手段、音量バランス記録手段及びミキシングアンプ制御手段を有し、
前記利用者ＩＤ特定手段は、利用者により利用者ＩＤに関連づけて楽曲が選択され、当該楽曲の演奏の際に当該利用者ＩＤを特定し、
前記音量バランス記録手段は、任意の楽曲の歌唱毎に前記ミキシングアンプの演奏ゲイン値と音声ゲイン値とのゲイン値混合比を算出し、前記特定した利用者ＩＤ毎に対応付けてそれらの平均ゲイン値混合比を登録し、
前記ミキシングアンプ制御手段は、利用者が利用者ＩＤに関連づけて選択した楽曲の演奏の際に、前記音量バランス記憶手段より前記特定した利用者ＩＤに基づく平均ゲイン値混合比を取得し、当該演奏ゲイン値若しくは音声ゲイン値の一方を基準に他方を当該平均ゲイン値混合比に沿って前記ミキシングアンプの対応ゲイン値を制御する、
ことを特徴とする音量調整機能を備えるカラオケシステム。
【請求項２】
請求項１記載の音量調整機能を備えるカラオケシステムであって、
さらに利用者が利用者ＩＤに関連づけて選択された楽曲が演奏される際に当該楽曲の楽曲ＩＤを特定する楽曲ＩＤ特定手段を備え、
前記音量バランス記録手段は、任意の楽曲の歌唱毎に前記ミキシングアンプの演奏ゲイン値と音声ゲイン値とのゲイン値混合比を算出し、前記特定した利用者ＩＤ及び楽曲ＩＤ毎に対応付けてそれらの楽曲平均ゲイン値混合比を登録し、
前記ミキシングアンプ制御手段は、利用者が利用者ＩＤに関連づけて選択した楽曲の演奏の際に、前記音量バランス記憶手段より前記特定された利用者ＩＤ及び楽曲ＩＤに基づく楽曲平均ゲイン値混合比を取得し、当該演奏ゲイン値若しくは音声ゲイン値の一方を基準に他方を当該楽曲平均ゲイン値混合比に沿って前記ミキシングアンプの対応ゲイン値を制御する、
ことを特徴とする音量調整機能を備えるカラオケシステム。
【発明の詳細な説明】
【技術分野】
【０００１】
本発明は、演奏楽曲の演奏音量と歌唱者の音声音量とのバランスを調整する音量調整機能を備えるカラオケシステムに関する。
【背景技術】
【０００２】
近年、カラオケ設備を利用する利用者はそれぞれ声量が異なる一方で、演奏される楽曲の演奏音量は基本的に音源によって定まり、また、音源が複数あり、同一楽曲で異なる音源が存在する場合もあって、歌唱者毎に歌唱時の演奏音量と音声音量とのバランスをとるためには、その都度演奏ボリウムやマイクボリウムを操作することが行われる。そのため、利用者の好みに応じた音量バランスを、マニュアル操作を必要とせずに自動的に調整できることが望ましい。
【０００３】
従来、カラオケシステムでは、演奏と歌唱者の音声をミキシングしてスピーカより出力するミキシングアンプを備え、利用者毎に声量が異なるために当該ミキシングアンプにはマイクアンプと演奏用アンプが備えられて全体のゲイン値を調整するダイナミックボリウムの他に、それぞれのゲイン値を調整する演奏ボリウム及びマイクボリウムが設けられているのが一般的である。
【０００４】
このようなカラオケシステムにおいて、カラオケ利用者が多い場合には、個人毎にその都度ボリウム調整を行われることとなるが、ボリウム調整を行うことは煩雑であって利用効率を妨げ、また、ボリウム調整を行わない場合には歌唱音声と演奏音との出力バランスが悪くなって歌唱意欲を減退させることとなる。そのため、出力音量のバランスを自動的に調整するものとして以下の特許文献が知られている。
【０００５】
【特許文献１】特開平１１−１６７３８５号公報
【特許文献２】特開平１１−０５２９６６号公報
【０００６】
上記特許文献１には、再生される演奏音楽の音量レベルを検出する一方で、入力される歌唱音声の音量を検出し、それぞれの検出された音量レベルを比較した結果に基づいて演奏音楽と歌唱音声に対する音量レベルの増幅値を決定し、それぞれの増幅値に基づいて歌唱音声と演奏音楽を増幅又は減縮してミキシングした後、増幅してスピーカから出力することが開示されている。
【０００７】
また、特許文献２には、演奏音楽又は声音の出力が調整されたときに、調整された調整値とリモコン装置とから入力された個人ＩＤとカラオケ曲番号とを対応させてＲＡＭの個人別歌唱環境テーブルに記憶しておき、上記個人ＩＤとカラオケ曲番号が再度入力されたとき、個人別歌唱環境テーブルから再入力された個人ＩＤとカラオケ曲番号に対応する調整値を読み出し、その読み出された調整値に基づいて上記カラオケ曲番号に対応する演奏音楽及び声音を調整して出力させることが開示されている。
【発明の開示】
【発明が解決しようとする課題】
【０００８】
しかしながら、上記特許文献１では、演奏音楽の音量レベルと歌唱音声の音量レベルとを比較した結果に基づいて演奏音楽と歌唱音声に対する音量レベルの増幅値を決定するものであって、当該決定される増幅値は予め定められたアルゴリズムに基づいて算出されることから、当該装置における絶対的な音量バランスとされて歌唱者の意図や嗜好が反映されず歌唱意欲を惹起することができないという問題がある。
【０００９】
また、上記特許文献２では、演奏音楽又は声音の出力が調整されたときに、調整値と個人ＩＤ及びカラオケ曲番号とを対応させて個人別歌唱環境テーブルに記憶しておき、個人ＩＤとカラオケ曲番号が再度入力されたときに当該テーブルより読み出した対応する調整値に基づいて演奏音楽及び声音を調整させるものであるが、同一カラオケ曲の歌唱環境の再現に止まり、同一のカラオケ曲が入力されない場合には対処することができないという問題があると共に、同一のカラオケ曲であっても演奏音楽又は声音の出力が再度調整された場合や、音源によっては演奏音楽の音量レベルが異なる場合には利用者の意図や嗜好が反映されない場合もあって歌唱意欲を惹起することが難しいという問題がある。
【００１０】
そこで、本発明は上記課題に鑑みなされたもので、歌唱者の意図や嗜好に沿う音量バランスを自動的に調整して歌唱意欲を惹起させる音量調整機能を備えるカラオケシステムを提供することを目的とする。
【課題を解決するための手段】
【００１１】
上記課題を解決するために、請求項１の発明では、演奏される楽曲の演奏信号と、マイクより入力される音声信号とをミキシングアンプによりミキシングし、増幅して出力するものであり、少なくとも演奏ボリウム及びマイクボリウムが設けられる音量調整機能を備えるカラオケシステムであって、少なくとも、利用者ＩＤ特定手段、音量バランス記録手段及びミキシングアンプ制御手段を有し、前記利用者ＩＤ特定手段は、利用者により利用者ＩＤに関連づけて楽曲が選択され、当該楽曲の演奏の際に当該利用者ＩＤを特定し、前記音量バランス記録手段は、任意の楽曲の歌唱毎に前記ミキシングアンプの演奏ゲイン値と音声ゲイン値とのゲイン値混合比を算出し、前記特定した利用者ＩＤ毎に対応付けてそれらの平均ゲイン値混合比を登録し、前記ミキシングアンプ制御手段は、利用者が利用者ＩＤに関連づけて選択した楽曲の演奏の際に、前記音量バランス記憶手段より前記特定した利用者ＩＤに基づく平均ゲイン値混合比を取得し、当該演奏ゲイン値若しくは音声ゲイン値の一方を基準に他方を当該平均ゲイン値混合比に沿って前記ミキシングアンプの対応ゲイン値を制御する、構成とする。
【００１２】
請求項２の発明では、さらに利用者が利用者ＩＤに関連づけて選択された楽曲が演奏される際に当該楽曲の楽曲ＩＤを特定する楽曲ＩＤ特定手段を備え、前記音量バランス記録手段は、任意の楽曲の歌唱毎に前記ミキシングアンプの演奏ゲイン値と音声ゲイン値とのゲイン値混合比を算出し、前記特定した利用者ＩＤ及び楽曲ＩＤ毎に対応付けてそれらの楽曲平均ゲイン値混合比を登録し、前記ミキシングアンプ制御手段は、利用者が利用者ＩＤに関連づけて選択した楽曲の演奏の際に、前記音量バランス記憶手段より前記特定された利用者ＩＤ及び楽曲ＩＤに基づく楽曲平均ゲイン値混合比を取得し、当該演奏ゲイン値若しくは音声ゲイン値の一方を基準に他方を当該楽曲平均ゲイン値混合比に沿って前記ミキシングアンプの対応ゲイン値を制御する、構成である。
【発明の効果】
【００１３】
請求項１の発明によれば、任意の楽曲の歌唱毎にミキシングアンプにおける演奏ゲイン値と音声ゲイン値とのゲイン値混合比を算出させ、特定した利用者ＩＤ毎に対応付けてそれらの平均ゲイン値混合比を登録し、利用者が利用者ＩＤに関連づけて選択した楽曲の演奏の際に特定した利用者ＩＤに基づく平均ゲイン値混合比を取得し、演奏ゲイン値若しくは音声ゲイン値の一方を基準に他方を当該平均ゲイン値混合比に沿ってミキシングアンプの対応ゲイン値を制御する構成とすることにより、歌唱者の意図や嗜好に沿う音量バランスを自動的に調整することができ、歌唱意欲を惹起させることができるものである。
【００１４】
請求項２の発明によれば、任意の楽曲の歌唱毎にミキシングアンプにおける演奏ゲイン値と音声ゲイン値とのゲイン値混合比を算出させ、特定した利用者ＩＤ及び楽曲ＩＤ毎に対応付けてそれらの楽曲平均ゲイン値混合比を登録し、利用者が利用者ＩＤに関連づけて選択した楽曲の演奏の際に特定された利用者ＩＤ及び楽曲ＩＤに基づく楽曲平均ゲイン値混合比を取得し、演奏ゲイン値若しくは音声ゲイン値の一方を基準に他方を当該平均ゲイン値混合比に沿ってミキシングアンプの対応ゲイン値を制御する構成とすることにより、選択対象の楽曲ＩＤが登録されている場合には当該楽曲についてより歌唱者の意図や嗜好に沿う音量バランスを自動的に調整することができ、歌唱意欲を惹起させることができるものである。
【発明を実施するための最良の形態】
【００１５】
以下、本発明の最良の実施形態を図により説明する。
図１に、本発明に係る音量調整機能を備えるカラオケシステムのブロック構成図を示す。図１において、カラオケシステム１１は、カラオケ本体１２と、当該カラオケ本体１２に附帯する遠隔入出力端末１３とで構成され、当該遠隔入出力端末１３は楽曲検索手段１４を備える。また、当該カラオケ本体１２には、操作ボリウム１６が設けられているミキシングアンプ１５及びマイク１７が接続され、当該ミキシングアンプ１５にスピーカ１５が接続される。さらに、カラオケ本体１２には利用者ＩＤ取得手段としてＩＤ読取部１９が接続される。
【００１６】
上記遠隔入出力端末１３は、その構成を省略するが、ユーザインタフェース機能を備えて対応のカラオケ本体１２（後述の送受信部３１）に対して有線方式ないし無線方式（ＩＲ方式やブルートゥース（登録商標）機構のピコネット接続方式など）を利用してデータ授受を行うためのもので、そのための回路基板およびプログラムを備えると共に、利用者に楽曲を選択させる楽曲検索手段１４のプログラムを備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１７】
ここで、上記音楽曲出力部３２は、楽曲ＩＤで楽曲ＤＢ２５より抽出された演奏データをデジタル再生し、アナログ変換してミキシングアンプ１５に出力する電子回路である。上記ミキシングアンプ１５は、音楽曲出力部３２より送られてくる演奏信号（図２で説明する）とマイク１７より入力した歌唱者の歌唱音声信号とをミキシングし、増幅してスピーカ１８より出力させるものであり、ミキシングアンプ制御手段２６で制御されるＡＧＣ（オートゲインコントローラ）を備える。また、ミキシングアンプ１５には、全体の音量を操作するダイナミックボリウム、演奏音量を操作する操作ボリウム及び音声音量を操作するマイクボリウムで構成される操作ボリウム１６が設けられる。
【００１８】
上記ＩＤ読取部１９は、利用者がカラオケ本体１２にログインするときに、例えば所持するＩＤ媒体２０から利用者ＩＤを取得しておくもので、利用者（顧客）において少なくとも利用者ＩＤを記憶しているＩＤ媒体２０が所持される。なお、利用者ＩＤ取得として、ＩＤ媒体によらず、例えば指紋、虹彩などの個人的特徴によっても取得してもよい。
【００１９】
上記カラオケ本体１２は、バス２１、中央制御部２２、ＲＯＭ２３、ＲＡＭ２４、楽曲ＤＢ（楽曲データベース）２５、ミキシングアンプ制御手段２６、予約管理手段２７、送受信部２８、音量バランス記録手段２９、利用者ＩＤ特定手段３０、楽曲ＩＤ特定手段３１及び音楽曲出力部３２を適宜備え、音量バランス記録手段２９はゲイン値混合比算出手段４１及び音量バランス登録部４２を備える。なお、上記各構成について、本発明の要旨と直接関連しない要素部分であっても、従前のカラオケシステムにおいても大部分が適用可能であることを示すために、システム全体を説明する。
【００２０】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすもので、例えば半導体メモリで構成され、仮想的にハードディスク上に構築される場合をも含む概念である。
【００２１】
上記楽曲ＤＢ２５は、演奏データ（ファイル）について楽曲ＩＤをファイル名としてそれぞれ格納したデータベースである。演奏データはそれぞれの楽曲の演奏をデジタル的に表現したデータである。また、演奏データは、例えば、ＭＩＤＩ（登録商標）音源（ＭＩＤＩデータ）及びＭＰ３音源（ＭＰ３データ）の複数の音源を含んでおり、楽曲で異なる音源と、同一楽曲においても上記二つの音源（この場合にはそれぞれの楽曲ＩＤが付される）とで格納される。
【００２２】
上記ミキシングアンプ制御手段２６は、詳細は図２で説明するが、楽曲演奏の終了時に演奏ゲイン値及び音声ゲイン値を後述の音量バランス記録手段２９に送出すると共に、利用者が利用者ＩＤに関連づけて選択した楽曲の演奏の際に利用者ＩＤに基づく音量バランス記録手段２９に登録された平均ゲイン値混合比を取得し、演奏ゲイン値若しくは音声ゲイン値の一方を基準に他方を当該平均ゲイン値混合比に沿ってミキシングアンプ１５の対応ゲイン値を制御する。ここでは、演奏ゲイン値を基準として平均ゲイン値混合比で音声ゲイン値を可変する場合として説明するが、音声ゲイン値を基準として演奏ゲイン値を可変することとしてもよい。
【００２３】
上記予約管理手段２７は、利用者が遠隔入出力端末１３の楽曲検索手段１４を用いて、利用者ＩＤに対応付けて楽曲を選択したときに、当該利用者ＩＤに関連づけて選択された楽曲ＩＤ、楽曲名が予約待ち行列に記憶して管理するプログラムであり、ＲＡＭ２４に展開された実行される。上記送受信部２８は、遠隔入出力端末１３との間で有線方式ないし無線方式（ＩＲ方式やブルートゥース（登録商標）機構のピコネット接続方式など）を利用してデータ授受を行うためのもので、そのための回路基板およびプログラムを備える。
【００２４】
上記音量バランス記録手段２９は、ゲイン値混合比算出手段４１及び音量バランス記録手段４２を備え、利用者が利用者ＩＤに関連づけて選択した楽曲の演奏の際に当該利用者ＩＤに対応する平均ゲイン値混合比をミキシングアンプ制御手段２６に送出するプログラムであり、ＲＡＭ２４に展開されて実行される。上記ゲイン値混合比算出手段４１は歌唱時のミキシングアンプ１５の演奏ゲイン値と音声ゲイン値とのゲイン値混合比を算出すると共に、過去に算出されたゲイン値混合比を平均した平均ゲイン値混合比を算出するプログラムであり、ＲＡＭ２４に展開されて実行される。また、音量バランス記録手段４２は、上記ゲイン値混合比算出手段４１で算出したゲイン値混合比及び過去に算出されたゲイン値混合比を平均した平均ゲイン値混合比を、取得した利用者ＩＤ毎に対応付けて登録する記憶部（若しくはＲＡＭ２４に確保された領域）である。
【００２５】
上記利用者ＩＤ特定手段３０は、予約管理手段２７の予約待ち行列において演奏対象の楽曲が演奏される際に、対応付けられた利用者ＩＤを予約管理手段２７から特定するプログラムである。また、楽曲ＩＤ特定手段３１は、利用者が遠隔入出力端末１３から楽曲を選択して予約管理手段２７に楽曲ＩＤで予約管理され、当該楽曲が演奏されるときに当該予約管理手段２７より特定するプログラムである。当該楽曲ＩＤ特定手段３１で取得される楽曲ＩＤが使用される態様については、図６及び図７で説明する。
【００２６】
ここで、図２に、図１におけるミキシングアンプ制御部による音量調整を行う構成のブロック構成図を示す。図２において、ミキシングアンプ制御手段２６は、演奏信号制御手段６１、演奏ゲイン値検出手段６２、音声信号制御手段６３、音声ゲイン値検出手段６４、音量調整手段６５、ＭＩＤＩシンセサイザ６６及びＭＰ３デコーダ６７を備える。
【００２７】
当該演奏信号制御手段６１は、ミキシングアンプ１５で操作された演奏ボリウムによる操作ゲイン値を入力して当該ミキシングアンプ１５のＡＧＣに対して制御ゲイン値を出力する電子回路である。上記演奏ゲイン値検出手段６２は、演奏信号制御手段６１がミキシングアンプ１５に対して出力した制御ゲイン値を検出し、検出した制御ゲイン値を音量バランス記録手段２９に送出するプログラムないし電子回路である。
【００２８】
上記音声信号制御手段６３は、ミキシングアンプ１５で操作されたマイクボリウムによる操作ゲイン値を入力し、後述の音量調整手段６５からの調整ゲイン値に応じて当該ミキシングアンプ１５のＡＧＣに対して制御ゲイン値を出力する電子回路である。上記音声ゲイン値検出手段６４は、音声信号制御手段６３がミキシングアンプ１５に対して出力する制御ゲイン値を検出し、検出した制御ゲイン値を音量バランス記録手段２９に送出するプログラムないし電子回路である。
【００２９】
上記ＭＩＤＩシンセサイザ６６は、楽曲ＤＢ２５より抽出されたＭＩＤＩ形式の演奏データからアナログの演奏信号を生成してミキシングアンプ１５に送出し、ＭＰ３デコーダ６７は、楽曲ＤＢ２５より抽出されたＭＰ３形式の演奏データをデコードしてアナログの演奏信号としてミキシングアンプ１５に送出するものである。
【００３０】
そして、上記音量調整手段６５は、音量バランス記録手段２９より演奏ゲイン値、音声ゲイン値及び音量バランス登録部４２に登録された対応の平均ゲイン値混合比（後述の楽曲平均ゲイン値混合比も含む）を取得して当該演奏ゲイン値を基準として音声ゲイン値を当該平均ゲイン値混合比に応じて可変する調整ゲイン値を算出し、音声信号制御手段６３に出力するプログラムないし電子回路である。なお、音声ゲイン値を基準にして、特定された平均ゲイン値混合比から演奏信号の演奏ゲイン値を算出してミキシングアンプ（ＡＧＣ）１５を自動制御してもよい（図２の破線参照）。
【００３１】
そこで、図３に本発明における音量調整のための履歴を登録する処理フローチャートを示すと共に、図４に図２における履歴を登録する音量バランス登録部の説明図を示す。図３において、利用者ＩＤに関連づけられた予約楽曲の演奏が開始されると（ステップ（Ｓ）１）、利用者ＩＤ特定手段３０が予約管理手段２７より演奏楽曲に関連付けられた利用やＩＤを特定する（Ｓ２）。
【００３２】
演奏信号制御手段６１では、演奏中（歌唱中）に、演奏音量に対して演奏ボリウムが操作されると（Ｓ３）、演奏ボリウムに対応した演奏ゲイン値でミキシングアンプ１５を制御し（Ｓ４）、演奏終了時に（Ｓ５）、演奏信号に対する演奏ゲイン値を演奏ゲイン値検出手段６２が検出して音量バランス記録手段２９に送出する（Ｓ６）。
【００３３】
一方、音声信号制御手段６３では、演奏中（歌唱中）に、音声音量に対してマイクボリウムが操作されると（Ｓ７）、マイクボリウムに対応した音声ゲイン値でミキシングアンプ１５を制御し（Ｓ８）、演奏終了時に（Ｓ９）、音声信号に対する音声ゲイン値を音声ゲイン値検出手段６４が検出して音量バランス記録手段２９に送出する（Ｓ１０）
【００３４】
音量バランス記録手段２９では、ゲイン値混合比算出手段４１が演奏ゲイン値と音声ゲイン値とからゲイン値混合比を算出すると共に、これを含めた過去分のゲイン値混合比を平均した平均ゲイン値混合比を算出する（Ｓ１１）。そして、図４に示すように、特定した歌唱者の利用者ＩＤ毎に、上記算出したゲイン値混合比及び平均ゲイン値混合比を音量バランス登録部４２に履歴として登録するものである（Ｓ１２）。
【００３５】
続いて、図５に、図２の音量調整のフローチャートを示す。図５において、ミキシングアンプ制御手段２６が、演奏開始に際して、演奏ゲイン値検出手段６２から取得した演奏ゲイン値と共に、音量バランス登録部４２を参照して楽曲を選択した利用者ＩＤから平均ゲイン値混合比を特定して音量調整手段６５に送出する（Ｓ２１）。音量調整手段６５では、演奏ゲイン値を基準にして、特定された平均ゲイン値混合比から音声信号の音声ゲイン値を算出して音声信号制御手段６３に送出する（Ｓ２２）。そして、音声信号制御手段６３が、マイク１７からの音声信号に対して算出された音声ゲイン値でミキシングアンプ（ＡＧＣ）１５を自動制御するものである（Ｓ２３）。
【００３６】
このように、歌唱者の履歴に基づいて利用者の意図や嗜好に沿う演奏音量と音声音量との音量バランスを自動的に調整することができ、歌唱意欲を惹起させることができるものである。
【００３７】
次に、図６に、図２における履歴を登録する他の方式による音量バランス登録部の説明図を示す。この実施形態は、利用者ＩＤ及び楽曲ＩＤの両方を条件とする楽曲別の楽曲平均ゲイン値混合比で音声信号の音声ゲイン値を調整させるものである。この場合、音量バランス記憶手段２９のゲイン値混合比算出手段４１は、取得した利用者ＩＤ及び歌唱した楽曲ＩＤ毎に対応付けてゲイン値混合比を算出すると共に、これらを含めた楽曲平均ゲイン値混合比を算出し、さらに総てのゲイン値混合比を平均した平均ゲイン値混合比を算出する。これら算出された楽曲毎のゲイン値混合比、楽曲平均ゲイン値混合比及び平均ゲイン値混合比が利用者ＩＤに対応付けられて、図６に示すように、音量バランス登録部４２に登録されるものである。
【００３８】
さらに、音量バランス記憶手段２９は、利用者が利用者ＩＤに関連づけて選択した楽曲の演奏の際に楽曲ＩＤ特定手段３１において予約管理手段２７より特定した楽曲ＩＤが音量バランス登録部４２に登録されている場合には楽曲平均ゲイン値混合比を、対応する楽曲ＩＤが登録されていない場合は平均ゲイン値混合比をミキシングアンプ制御手段２６の音量調整手段６５に演奏ゲイン値と共に送出するものである。
【００３９】
また、この実施形態におけるミキシングアンプ制御手段２６は、楽曲演奏の終了時に演奏ゲイン値及び音声ゲイン値を音量バランス記録手段２９に送出すると共に、音量調整手段６５において、利用者が利用者ＩＤに関連づけて選択した楽曲の演奏の際に、音量バランス記憶手段２９より利用者ＩＤ及び楽曲ＩＤに基づく楽曲平均ゲイン値混合比又は平均ゲイン値混合比を取得し、当該演奏ゲイン値若しくは音声ゲイン値の一方を基準に他方を当該楽曲平均ゲイン値混合比又は平均ゲイン値混合比に沿ってミキシングアンプ１５の対応ゲイン値を制御するものである。ここでは、上記同様に演奏ゲイン値を基準に音声ゲイン値を可変させるものとするが、上述のように音声ゲイン値を基準として演奏ゲイン値を可変してもよい。
【００４０】
そこで、履歴を音量バランス登録部４２に登録する処理としては、上述の図３のＳ１０までと同様である。そして、音量バランス記録手段２９において、ゲイン値混合比算出手段４１が演奏ゲイン値と音声ゲイン値とから楽曲ＩＤ特定手段３１で特定した楽曲ＩＤ別にゲイン値混合比及びこれらの楽曲平均ゲイン値混合比を算出すると共に、総てのゲイン値混合比を平均した平均ゲイン値混合比を算出し、図６に示すように、利用者ＩＤに関連づけて楽曲ＩＤ別に、上記算出したゲイン値混合比、楽曲平均ゲイン値混合比及び平均ゲイン値混合比を音量バランス登録部４２に履歴として登録するものである。
【００４１】
続いて、図７に、図６における音量調整のフローチャートを示す。図７において、利用者ＩＤに関連づけられた予約楽曲の演奏が開始されると（Ｓ３１）。楽曲ＩＤ特定手段３１が特定した楽曲ＩＤが、当該利用者ＩＤに基づく音量バランス登録部４２に登録されている場合には（Ｓ３２）、演奏ゲイン値検出手段６２から取得した演奏ゲイン値と共に、音量バランス登録部４２を参照して特定した利用者ＩＤ及び楽曲ＩＤから当該楽曲ＩＤの楽曲平均ゲイン値混合比を特定して音量調整手段６５に送出する（Ｓ３３）。
【００４２】
一方、特定した楽曲ＩＤが、当該利用者ＩＤに基づく音量バランス登録部４２に登録されていない場合には（Ｓ３２）、演奏ゲイン値検出手段６２から取得した演奏ゲイン値と共に、音量バランス登録部４２を参照して利用者ＩＤ特定手段３０がした利用者ＩＤから平均ゲイン値混合比を特定して音量調整手段６５に送出する（Ｓ３４）。
【００４３】
そこで、音量調整手段６５では、演奏ゲイン値を基準にして、特定された楽曲平均ゲイン値混合比又は平均ゲイン値混合比から音声信号の音声ゲイン値を算出して音声信号制御手段６３に送出する（Ｓ３５）。そして、音声信号制御手段６３が、マイク１７からの音声信号に対して算出された音声ゲイン値でミキシングアンプ（ＡＧＣ）１５を自動制御するものである（Ｓ３６）。
【００４４】
このように、歌唱者の履歴に基づいて選択対象の楽曲ＩＤが登録されている場合には当該楽曲についてより利用者の意図や嗜好に沿う演奏音量と音声音量との音量バランスを自動的に調整することができ、歌唱意欲を惹起させることができるものである。
【産業上の利用可能性】
【００４５】
本発明の音量調整機能を備えるカラオケシステムは、演奏信号と音声信号とをミキシングし、増幅して出力するカラオケシステム全般に利用可能である。
【図面の簡単な説明】
【００４６】
【図１】本発明に係る音量調整機能を備えるカラオケシステムのブロック構成図である。
【図２】図１におけるミキシングアンプ制御部による音量調整を行う構成のブロック構成図である。
【図３】本発明における音量調整のための履歴を登録する処理フローチャートである。
【図４】図２における履歴を登録する音量バランス登録部の説明図である。
【図５】図２の音量調整のフローチャートである。
【図６】図２における履歴を登録する他の方式による音量バランス登録部の説明図である。
【図７】図６における音量調整のフローチャートである。
【符号の説明】
【００４７】
１１            カラオケシステム
１２            カラオケ本体
１３            遠隔入出力端末
１５            ミキシングアンプ
１６            操作ボリウム
１７            マイク
２６            ミキシングアンプ制御手段
２９            音量バランス記録手段
３０            利用者ＩＤ特定手段
３１            楽曲ＩＤ特定手段
４１            ゲイン値混合比算出手段
４２            音量バランス登録部
６１            演奏信号制御手段
６２            演奏ゲイン値検出手段
６３            音声信号制御手段
６４            音声ゲイン値検出手段
６５            音量調整手段
【図１】
2008191184.tif 000003
【図２】
2008191184.tif 000004
【図３】
2008191184.tif 000005
【図４】
2008191184.tif 000006
【図５】
2008191184.tif 000007
【図６】
2008191184.tif 000008
【図７】
2008191184.tif 000009